(57)【要約】本発明は、冷蔵庫内に温度異常物品が投入されたか否かを検出するための方法を提供する。冷蔵庫は、内部が複数の収納スペースに区画された筐体と、筐体の前部に設けられる扉体と、複数の収納スペースの温度をそれぞれ検知する複数の赤外線センサとを備え、当該方法は、扉体が開放された後、複数の赤外線センサが温度値を測定するように制御するステップと、複数の収納スペースのうち温度異常物品を投入された可能性のある異常収納スペースが存在するか否かを判断するステップと、異常収納スペースが存在すると判断された場合に、温度異常物品を投入された可能性のある前後の異常収納スペースの第１温度変化値と、温度異常物品を投入された可能性のある前後にそれと外部環境との熱交換による第２温度変化値とを取得するステップと、第１温度変化値と第２温度変化値とに基づいて異常収納スペース内に温度異常物品が投入されたか否かを判断するステップと、を含む。本発明は、ある収納スペース内に過熱の食品が投入されたか否かを正確に判断できる。【選択図】図２
2019535994.tif 000002
【特許請求の範囲】
【請求項１】
冷蔵庫内に温度異常物品が投入されたか否かを検出するための方法であって、
前記冷蔵庫は、
内部が複数の収納スペースに区画された筐体と、前記筐体の前部に取り付けられた扉体と、前記複数の収納スペースの温度をそれぞれ検知する複数の赤外線センサと、を備え、
前記方法は、
前記扉体が開かれた後、前記複数の赤外線センサが温度値を測定するように制御するステップと、
前記複数の収納スペースのうち、温度異常物品が投入された可能性のある異常収納スペースが存在するか否かを判断するステップと、
前記異常収納スペースが存在すると判断された場合、温度異常物品が投入された可能性のある時の前後の前記異常収納スペースの第１温度変化値を取得するステップと、
温度差合計数式ｓｕｍ(ｎ)＝ｓｕｍ(ｎ−１)＋ＩＲ(ｎ＋１)−ＩＲ(ｎ)に基づいて、前記異常収納スペースが、温度異常物品を投入された可能性のある時の前後において、外部環境と熱交換を行うことによって発生する第２温度変化値を算出するステップと、
前記第１温度変化値と前記第２温度変化値とに基づいて、前記異常収納スペース内に温度異常物品が投入されたか否かを判断するステップと、を含み、
温度差合計算出の開始時に、ｓｕｍ（０）＝０であり、且つ、
前記異常収納スペースに温度異常物品を投入した可能性のある時の前後期間において前記異常収納スペースに対応する赤外線センサによって第ｎ＋１回と第ｎ回で測定された温度値の差の絶対値が第１所定値より小さい場合に、ＩＲ(ｎ＋１)とＩＲ(ｎ)は、それぞれ前記異常収納スペースに温度異常物品を投入した可能性のある時の前後期間において前記異常収納スペースに対応する赤外線センサによって第ｎ＋１回と第ｎ回で測定された温度値であり、
前記異常収納スペースに温度異常物品を投入した可能性のある時の前後期間において前記異常収納スペースに対応する赤外線センサによって第ｎ＋１回と第ｎ回で測定された温度値の差の絶対値が前記第１所定値以上であり、且つ前記異常収納スペースに温度異常物品を投入した可能性のある時の前後期間において第ｎ＋１回と第ｎ回で測定された温度値の差の絶対値が前記第１所定値より小さい他の赤外線センサが存在する場合に、前記他の赤外線センサの数が１つであるとき、ＩＲ(ｎ＋１)とＩＲ(ｎ)は、それぞれ前記異常収納スペースに温度異常物品を投入した可能性のある時の前後期間において前記他の赤外線センサによって第ｎ＋１回と第ｎ回で測定された温度値であり、前記他の赤外線センサの数が２つ以上であるとき、ＩＲ(ｎ＋１)とＩＲ(ｎ)は、それぞれ前記異常収納スペースに温度異常物品を投入した可能性のある時の前後期間において前記他の赤外線センサの何れかによって第ｎ＋１回と第ｎ回で測定された温度値であり、または、ＩＲ(ｎ＋１)とＩＲ(ｎ)は、それぞれ前記異常収納スペースに温度異常物品を投入した可能性のある時の前後期間において前記他の赤外線センサの全てによって第ｎ＋１回と第ｎ回で測定された温度値の平均値であり、
前記異常収納スペースに温度異常物品を投入した可能性のある時の前後期間において前記赤外線センサのそれぞれによって第ｎ＋１回と第ｎ回で測定された温度値の差の絶対値が何れも前記第１所定値以上である場合に、ｓｕｍ(ｎ)＝ｓｕｍ(ｎ−１)であることを特徴とする方法。
【請求項２】
前記複数の収納スペースのうち、前記異常収納スペースが存在するか否かを判断するステップは、
扉体開放期間において、前記複数の赤外線センサのうちの何れかの赤外線センサによって連続２回測定された温度値の差の絶対値が所定の突然変異値より大きい場合に、前記複数の収納スペースのうち前記異常収納スペースが存在し、連続２回測定された温度値の差の絶対値が前記突然変異値より大きい赤外線センサに対応する収納スペースの何れも前記異常収納スペースであると判断することと、
前記扉体開放期間において、各前記赤外線センサによって連続２回測定された温度値の差の絶対値が何れも前記突然変異値以下である場合に、前記複数の収納スペースのうち前記異常収納スペースが存在しないと判断することと、を含み、
前記突然変異値は、前記第１所定値以上であることを特徴とする請求項１に記載の方法。
【請求項３】
前記第１温度変化値を取得するステップは、
前記異常収納スペースに対応する赤外線センサによって、連続２回測定された温度値の差の絶対値が前記突然変異値より大きい値となる前の直近で、Ｅ（ただし、Ｅ≧２）回測定された第１温度値を、温度異常物品を投入された可能性のある時の前の前記異常収納スペースの温度値として記録することと、
前記異常収納スペースに対応する赤外線センサによって、連続２回測定された温度値の差の絶対値が前記突然変異値より大きい値となった後に、連続Ｍ（ただし、Ｍ≧３）回測定された温度値のうち、何れの連続２回測定された温度値の差の絶対値も前記第１所定値より小さい値となるとき、前記異常収納スペースに対応する赤外線センサによる前記連続Ｍ回測定のうちの何れか１回で測定された第２温度値を、温度異常物品を投入された可能性のあった時の後の前記異常収納スペースの温度値として記録することと、
前記第２温度値と前記第１温度値との差分を前記第１温度変化値として算出することと、を含むことを特徴とする請求項２に記載の方法。
【請求項４】
前記異常収納スペースに対応する赤外線センサによる前記連続Ｍ回測定のうちの第１回或いは最終回で測定された温度値を、温度異常物品を投入された可能性のあった時の後の前記異常収納スペースの温度値として記録することを特徴とする請求項３に記載の方法。
【請求項５】
前記異常収納スペースに対応する赤外線センサが前記第１温度値の測定を行うとき、各前記赤外線センサが前記異常収納スペースに温度異常物品を投入した可能性のある時の前後期間において第１回の測定を行い、
前記異常収納スペースに対応する赤外線センサが前記第２温度値の測定を行うとき、各前記赤外線センサが前記異常収納スペースに温度異常物品を投入した可能性のある時の前後期間において最終回の測定を行い、
前記異常収納スペースに温度異常物品を投入した可能性のある時の前後期間において前記赤外線センサが第２回で測定した温度値と第１回で測定した温度値とを利用して第１回の温度差合計算出を行い、
前記異常収納スペースに温度異常物品を投入した可能性のある時の前後期間において前記赤外線センサが最終回で測定した温度値と最終回から２回目で測定した温度値とを利用して最終回の温度差合計算出を行い、且つ、
前記第２温度変化値は、最終回の温度差合計算出の結果であることを特徴とする請求項３に記載の方法。
【請求項６】
前記第１温度変化値と前記第２温度変化値とに基づいて前記異常収納スペース内に温度異常物品が投入されたか否かを判断するステップは、
前記第１温度変化値と前記第２温度変化値との差分が第２所定値より大きいか否かを判断することと、
前記第１温度変化値と前記第２温度変化値との差分が第２所定値より大きい場合に、前記異常収納スペース内に温度異常物品が投入されたと判断することと、
前記第１温度変化値と前記第２温度変化値との差分が第２所定値より大きくない場合に、前記異常収納スペース内に温度異常物品が投入されなかったと判断することと、を含み、
前記第２所定値は、前記突然変異値以上であることを特徴とする請求項２に記載の方法。
【請求項７】
前記赤外線センサの数は、３つ以上であることを特徴とする請求項１に記載の方法。
【請求項８】
前記複数の赤外線センサが温度値を測定するように制御することは、前記扉体が所定時間開放された後で行われることを特徴とする請求項１に記載の方法。
【請求項９】
前記異常収納スペース内に温度異常物品が投入されたと判断された場合に、視覚的および／または聴覚的な信号を発してユーザに注意を喚起するステップ、および／または、
前記異常収納スペースが存在しないと判断された場合に、前記扉体開放期間において前記複数の収納スペースの何れにも温度異常物品が投入されなかったと判断するステップと、を更に含むことを特徴とする請求項１に記載の方法。
【発明の詳細な説明】
【技術分野】
【０００１】
本願は、出願日が２０１６年１１月２３日であり、出願番号が２０１６１１０４６８５９．１であり、発明名称が「冷蔵庫内に温度異常物品が投入されたか否かを検出するための方法」である中国特許出願の優先権を主張し、当該出願の全文が引用により本願に組み込まれる。
【０００２】
本発明は、冷蔵冷凍機器に関し、特に冷蔵庫内に温度異常物品が投入されたか否かを検出するための方法に関する。
【背景技術】
【０００３】
従来の冷蔵庫は、一般的に、収納コンパートメント内部に配置されている温度センサを用いてその配置位置の周囲の温度を感知し、当該温度を冷却制御の依拠とする。このような制御方式を用いて冷蔵庫の制御を行う際、温度センサによって測定された温度が所定値より高いとき、冷蔵庫は、冷却を開始する。しかし、収納コンパートメントが物置仕切り板によって、複数の相対的に独立する収納スペースに区画された場合に、ユーザが高温度の熱い食品を冷蔵庫の何れかの収納スペースに投入すると、熱い食品の投入がその所在する収納スペースの温度に影響を与えるため、元々冷蔵庫の内部に存在する食品における各種の細菌が速く繁殖し、食品の栄養且つ安全な保存に不利になる。また、冷蔵庫が収納コンパートメント全体に対して無差別に冷却を行なう場合に、電気エネルギーの無駄遣いとなるとともに、熱い食品を入れた収納スペースの降温も遅れる。
【０００４】
また、高温度の熱い食品を投入することが収納スペースの温度変化を引き起こすが、冷蔵庫の扉を開くとき、熱い食品が投入されていない収納スペースも、外部環境と収納コンパートメントとの間の自然対流による熱交換によって温度変化を引き起こす。しかし、従来技術には、上記２種の場合を区分する適切な判定方法がこれまで存在しておらず、従来技術における冷蔵庫の冷却制御の正確性が足りない。冷蔵庫のハードウェアコストを過度に増やさず、上記２種の場合を正確に区分する判定方法を提供することは、冷蔵庫技術分野において、これまで解決が試みられてきたが、未だに解決されていない技術問題である。
【発明の概要】
【発明が解決しようとする課題】
【０００５】
上記問題に鑑みて、上記問題を克服するまたは上記問題を少なくとも部分的に解決するように本発明を提供する。
【０００６】
本発明の別の目的は、冷蔵庫内に温度異常物品が投入されたか否かを検出する方法を提供することで、冷蔵庫の扉開放期間に過熱の食品が投入されたかを検出することにある。
【０００７】
本発明の更に別の目的は、冷蔵庫の冷却制御の正確性を向上させることにある。
【課題を解決するための手段】
【０００８】
特に、本発明は、冷蔵庫内に温度異常物品が投入されたか否かを検出するための方法を提供する。前記冷蔵庫は、内部が複数の収納スペースに区画された筐体と、前記筐体の前部に取り付けられた扉体と、前記複数の収納スペースの温度をそれぞれ検知する複数の赤外線センサと、を備え、前記方法は、前記扉体が開かれた後、前記複数の赤外線センサが温度値を測定するように制御するステップと、前記複数の収納スペースのうち、温度異常物品が投入された可能性のある異常収納スペースが存在するか否かを判断するステップと、
前記異常収納スペースが存在すると判断された場合、温度異常物品が投入された可能性のある時の前後の前記異常収納スペースの第１温度変化値を取得するステップと、
温度差合計数式ｓｕｍ(ｎ)＝ｓｕｍ(ｎ−１)＋ＩＲ(ｎ＋１)−ＩＲ(ｎ)に基づいて、前記異常収納スペースが、温度異常物品を投入された可能性のある時の前後において、外部環境と熱交換を行うことによって発生する第２温度変化値を算出するステップと、
前記第１温度変化値と前記第２温度変化値とに基づいて、前記異常収納スペース内に温度異常物品が投入されたか否かを判断するステップと、を含み、
温度差合計算出の開始時に、ｓｕｍ（０）＝０であり、且つ、
前記異常収納スペースに温度異常物品を投入した可能性のある時の前後期間において前記異常収納スペースに対応する赤外線センサによって第ｎ＋１回と第ｎ回で測定された温度値の差の絶対値が第１所定値より小さい場合に、ＩＲ(ｎ＋１)とＩＲ(ｎ)は、それぞれ前記異常収納スペースに温度異常物品を投入した可能性のある時の前後期間において前記異常収納スペースに対応する赤外線センサによって第ｎ＋１回と第ｎ回で測定された温度値であり、前記異常収納スペースに温度異常物品を投入した可能性のある時の前後期間において前記異常収納スペースに対応する赤外線センサによって第ｎ＋１回と第ｎ回で測定された温度値の差の絶対値が前記第１所定値以上であり、且つ前記異常収納スペースに温度異常物品を投入した可能性のある時の前後期間において第ｎ＋１回と第ｎ回で測定された温度値の差の絶対値が前記第１所定値より小さい他の赤外線センサが存在する場合に、前記他の赤外線センサの数が１つであるとき、ＩＲ(ｎ＋１)とＩＲ(ｎ)は、それぞれ前記異常収納スペースに温度異常物品を投入した可能性のある時の前後期間において前記他の赤外線センサによって第ｎ＋１回と第ｎ回で測定された温度値であり、前記他の赤外線センサの数が２つ以上であるとき、ＩＲ(ｎ＋１)とＩＲ(ｎ)は、それぞれ前記異常収納スペースに温度異常物品を投入した可能性のある時の前後期間において前記他の赤外線センサの何れかによって第ｎ＋１回と第ｎ回で測定された温度値であり、または、ＩＲ(ｎ＋１)とＩＲ(ｎ)は、それぞれ前記異常収納スペースに温度異常物品を投入した可能性のある時の前後期間において前記他の赤外線センサの全てによって第ｎ＋１回と第ｎ回で測定された温度値の平均値であり、
前記異常収納スペースに温度異常物品を投入した可能性のある時の前後期間において前記赤外線センサのそれぞれによって第ｎ＋１回と第ｎ回で測定された温度値の差の絶対値が何れも前記第１所定値以上である場合に、ｓｕｍ(ｎ)＝ｓｕｍ(ｎ−１)である。
【０００９】
好ましくは、前記複数の収納スペースのうち、前記異常収納スペースが存在するか否かを判断するステップは、
前記扉体の開放期間において、前記複数の赤外線センサのうちの何れかの赤外線センサによって連続２回測定された温度値の差の絶対値が所定の突然変異値より大きい場合に、前記複数の収納スペースのうち前記異常収納スペースが存在し、連続２回測定された温度値の差の絶対値が前記突然変異値より大きい赤外線センサに対応する収納スペースの何れも前記異常収納スペースであると判断することと、前記扉体開放期間において、各前記赤外線センサによって連続２回測定された温度値の差の絶対値が何れも前記突然変異値以下である場合に、前記複数の収納スペースのうち前記異常収納スペースが存在しないと判断することと、を含み、
前記突然変異値は、前記第１所定値以上である。
【００１０】
好ましくは、前記第１温度変化値を取得するステップは、前記異常収納スペースに対応する赤外線センサによって、連続２回測定された温度値の差の絶対値が前記突然変異値より大きい値となる前の直近で、Ｅ（ただし、Ｅ≧２）回測定された第１温度値を、温度異常物品を投入された可能性のある時の前の前記異常収納スペースの温度値として記録することと、前記異常収納スペースに対応する赤外線センサによって、連続２回測定された温度値の差の絶対値が前記突然変異値より大きい値となった後に、連続Ｍ（ただし、Ｍ≧３）回測定された温度値のうち、何れの連続２回測定された温度値の差の絶対値も前記第１所定値より小さい値となるとき、前記異常収納スペースに対応する赤外線センサによる前記連続Ｍ回測定のうちの何れか１回で測定された第２温度値を、温度異常物品を投入された可能性のあった時の後の前記異常収納スペースの温度値として記録することと、前記第２温度値と前記第１温度値との差分を前記第１温度変化値として算出することと、を含む。
【００１１】
好ましくは、前記異常収納スペースに対応する赤外線センサによる前記連続Ｍ回測定のうちの第１回或いは最終回で測定された温度値を、温度異常物品を投入された可能性のあった時の後の前記異常収納スペースの温度値として記録する。
【００１２】
好ましくは、前記異常収納スペースに対応する赤外線センサが前記第１温度値の測定を行うとき、各前記赤外線センサが前記異常収納スペースに温度異常物品を投入した可能性のある時の前後期間において第１回の測定を行い、前記異常収納スペースに対応する赤外線センサが前記第２温度値の測定を行うとき、各前記赤外線センサが前記異常収納スペースに温度異常物品を投入した可能性のある時の前後期間において最終回の測定を行い、前記異常収納スペースに温度異常物品を投入した可能性のある時の前後期間において前記赤外線センサが第２回で測定した温度値と第１回で測定した温度値とを利用して第１回の温度差合計算出を行い、前記異常収納スペースに温度異常物品を投入した可能性のある時の前後期間において前記赤外線センサが最終回で測定した温度値と最終回から２回目で測定した温度値とを利用して最終回の温度差合計算出を行い、且つ、前記第２温度変化値は、最終回の温度差合計算出の結果である。
【００１３】
好ましくは、前記第１温度変化値と前記第２温度変化値とに基づいて前記異常収納スペース内に温度異常物品が投入されたか否かを判断するステップは、前記第１温度変化値と前記第２温度変化値との差分が第２所定値より大きいか否かを判断することと、前記第１温度変化値と前記第２温度変化値との差分が第２所定値より大きい場合に、前記異常収納スペース内に温度異常物品が投入されたと判断することと、前記第１温度変化値と前記第２温度変化値との差分が第２所定値より大きくない場合に、前記異常収納スペース内に温度異常物品が投入されなかったと判断することと、を含み、前記第２所定値は、前記突然変異値以上である。
【００１４】
好ましくは、前記赤外線センサの数は、３つ以上である。
【００１５】
好ましくは、前記複数の赤外線センサが温度値を測定するように制御することは、前記扉体が所定時間開放された後で行われる。
【００１６】
好ましくは、前記方法は、前記異常収納スペース内に温度異常物品が投入されたと判断された場合に、視覚的および／または聴覚的な信号を発してユーザに注意を喚起するステップ、および／または、前記異常収納スペースが存在しないと判断された場合に、前記扉体の開放期間において前記複数の収納スペースの何れにも温度異常物品が投入されなかったと判断するステップと、を更に含む。
【発明の効果】
【００１７】
本発明の冷蔵庫内に温度異常物品が投入されたか否かを検出するための方法では、複数の収納スペースのうち、温度異常物品を投入された可能性のある異常収納スペースが存在するか否かを先に判断し、更に、温度異常物品を投入された可能性のある時の前後の異常収納スペースの第１温度変化値と、温度異常物品を投入された可能性のある時の前後における、異常収納スペースと外部環境との熱交換によって発生する第２温度変化値とに基づいて、異常収納スペース内に温度異常物品が投入されたか否かを判断する。本発明の異常収納スペース内に温度異常物品が投入されたか否かを判断する原理は、主に、冷蔵庫の扉体開放期間に熱い食品の投入と室内外熱交換とによって引き起こされた収納スペースの温度変化と、冷蔵庫の扉体開放期間における外部環境と収納スペースとの間の自然対流による熱交換によって引き起こされた収納スペースの単純な温度変化と比較することで、ある収納スペース内に過熱の食品が投入されたか否かを判断する。
【００１８】
現在、従来の冷蔵庫では、冷蔵庫内に温度異常物品が投入されたか否かを検出する方法は存在しない。一般のユーザは、冷蔵庫内に過熱の食品（例えば、４０℃より高い温度の食品）を投入すると冷蔵庫にどのような不利な影響を与えるかを意識していないだけでなく、冷蔵庫内に投入された食品の温度が高すぎるか否かに気付いていない場合もある。これらの問題について、本発明の方法は、ある収納スペース内に過熱の食品が投入されたか否かを正確に判断可能であり、収納スペース内に過熱の食品が投入されたと判断したときにユーザに注意を喚起可能である。こうして、ユーザは、温度異常物品を、正常温度に近づいた後で冷蔵庫に入れて貯蔵することを行い易くなる。冷蔵庫内に過熱物品を投入することによって冷蔵庫およびその中の貯蔵品へ不利な影響を与えることは、ある程度回避できる。
【００１９】
さらに、本発明は、温度差合計数式に基づいて、異常収納スペースが、温度異常物品を投入された可能性のある時の前後において、外部環境との熱交換によって発生される第２温度変化値を正確に算出可能であるため、本発明の冷蔵庫内に温度異常物品が投入されたか否かを検出する正確性は向上する。
【００２０】
さらに、本発明は、収納スペースの扉体開放期間における温度上昇の原因が、高温度の食品の投入によるものか、それとも単に外部環境と収納スペースとの間の自然対流による熱交換によるものかを正確に区分可能であるため、冷蔵庫が具体的な状況に応じて合理且つ適切な冷却制御を行うことに有利になる。
【００２１】
図面に合わせて後述する本発明の具体的な実施例の詳細な記述によれば、本発明の上記および他の目的、メリットと特徴は、当業者により良好に理解される。
【図面の簡単な説明】
【００２２】
後文は、図面を参照しながら制限的ではなく例示的に本発明の幾つかの具体的な実施例を詳細に記述する。図面における同じ符号は、同じまたは類似する部品や部分を示す。当業者であれば分かるように、これらの図面が必ずしも縮尺通りに描かれるものとは限らない。図面において、
【図１】本発明の一実施例に係る冷蔵庫の模式的な構造図である。
【図２】本発明の一実施例に係る冷蔵庫内に温度異常物品が投入されたか否かを検出するための方法の模式図である。
【図３】本発明の一実施例に係る冷蔵庫に異常収納スペースが存在するか否かを判断する方法の模式図である。
【図４】本発明の一実施例に係る第１温度変化値を取得する方法の模式図である。
【図５】本発明の一実施例に係る第２温度変化値を取得する方法の模式図である。
【図６】本発明の一実施例に係る異常収納スペース内に温度異常食品が投入されたか否かを判断する方法の模式図である。
【図７】本発明の一実施例に係る冷蔵庫内に温度異常物品が投入されたか否かを検出するための詳細フローチャートである。
【発明を実施するための形態】
【００２３】
図１は、本発明の一実施例に係る冷蔵庫の模式的な構造図である。図１を参照すると、当該冷蔵庫は、一般的に、筐体１１０と複数の赤外線センサ１３０を備えている。筐体１１０は、天壁、底壁、後壁および左右２つの側壁によって取り囲まれており、筐体１１０の前方には、扉体（図示せず）が取り付けられ、扉体は、ピボット構造にて側壁に接続可能である。筐体１１０の内部には、収納コンパートメント（例えば、冷藏室）が規定されている。収納コンパートメントは、複数の収納スペース１４０に区画されている。例えば、物置棚ユニット１２０を用いて収納コンパートメントを複数の収納スペース１４０に区切る。１つの好適な構造としては、物置棚ユニット１２０が少なくとも１つの水平配置される仕切り板を含むことにより、収納コンパートメントは鉛直方向に沿って複数の収納スペース１４０に区切られる。図１では、物置棚ユニット１２０は、第１仕切り板、第２仕切り板及び第３仕切り板を備える。ただし、天壁と第１仕切り板との間が第１収納スペースを形成し、第１仕切り板と第２仕切り板の間が第２収納スペースを形成し、第２仕切り板と第３仕切り板の間が第３収納スペースを形成する。本発明の別の幾つかの実施例では、物置棚ユニット１２０における仕切り板の数および収納スペース１４０の数は、冷蔵庫の容積および使用要求に応じて予め決められてもよい。
【００２４】
複数の赤外線センサ１３０は、収納コンパートメント内部に設置され、各収納スペース１４０の温度をそれぞれ測定する。それぞれの赤外線センサ１３０は、それぞれの収納スペース１４０に対応して、当該収納コンパートメント内の温度を検出する。赤外線センサ１３０の数は、収納スペース１４０の数に応じて決定され、各収納スペース１４０には、１つの赤外線センサ１３０が設けられている。
【００２５】
赤外線センサ１３０の収納スペース１４０内部物品に対する温度検知精度を向上させ、収納スペース１４０を冷却する要求を満たすために、発明者は、赤外線センサ１３０の取り付け位置について大量の試験を行い、赤外線センサ１３０の好適な取付位置およびその好適な配置方式を得る。赤外線センサ１３０の、所在する収納スペース１４０での取り付け位置の高さは、収納スペース１４０の全体高さの二分の一より高く（より好適な範囲は、収納スペース１４０の全体高さの三分の二に位置するか、それより高い）、赤外線センサ１３０の赤外受信中心線の鉛直上方に対する角度範囲は、７０度から１５０度（より好適な範囲は、７６度から１４０度）と設定され、赤外線センサ１３０の赤外受信中心線の水平投影と所在する側壁との夾角範囲は、３０度から６０度（より好適な範囲は、３０度から４５度）と設定される。
【００２６】
赤外線センサ１３０は、赤外線を発さず、検知範囲内において物品から発された赤外線及び背景赤外線を受信し、収納スペース１４０内の物品温度の変化領域および温度を直接検知して、対応する電気信号に転換する。
【００２７】
本発明の実施例の冷蔵庫は、各赤外線センサ１３０の連続２回の測定結果を算出することで、各収納スペース１４０の温度上昇状況を取得し、更に収納スペース１４０の温度上昇状況に基づいて、ある収納スペース１４０に温度異常物品が投入されたか否かを判断する。当業者であれば理解できるように、ここでの温度異常物品は、温度が高すぎる（例えば、温度が４０℃以上）物品そのものである。
【００２８】
本発明の幾つかの実施例では、冷蔵庫に３つ以上の収納スペース１４０が設けられ、それらに対応して、冷蔵庫に３つ以上の赤外線センサ１３０が設けられている。最大でもとも冷蔵庫の２つの収納スペース１４０に温度異常物品が同時に投入されることを想定しているため、２つの収納スペース１４０に温度異常物品が同時に投入されても、温度異常物品を投入されていない収納スペース１４０も他に存在することとなる。
【００２９】
図２は、本発明の一実施例に係る冷蔵庫内に温度異常物品が投入されたか否かを検出するための方法の模式図である。当該冷蔵庫内に温度異常物品が投入されたか否かを検出するための方法は、一般的に、下記のステップを含んでもよい。
【００３０】
ステップＳ１０２では、扉体が開放された後、複数の赤外線センサ１３０が温度値を測定するように制御する。
【００３１】
ステップＳ１０４では、各赤外線センサ１３０によって扉体開放期間において連続２回測定された温度値に基づいて、複数の収納スペース１４０のうち、温度異常物品を投入された可能性のある異常収納スペースが存在するか否かを判断する。
【００３２】
ステップＳ１０６では、異常収納スペースが存在すると判断された場合に、温度異常物品を投入された可能性のある時の前後の異常収納スペースの第１温度変化値と、温度異常物品を投入された可能性のある時の前後において、異常収納スペースと外部環境との熱交換によって発生する第２温度変化値とを取得する。
【００３３】
ステップＳ１０８では、第１温度変化値と第２温度変化値とに基づいて、異常収納スペース内に温度異常物品が投入されたか否かを判断する。
【００３４】
ステップＳ１０２では、冷蔵庫の扉体開放検出装置を用いて扉体の開閉状態を検出してもよい。扉開放検出装置は、扇形スイッチ、感磁スイッチ、ホールスイッチ等の複数種の方式を用いて検出可能であり、扉体の完全閉鎖または開放時に、異なる電気信号をそれぞれ発生して扉体の状態を示す。扉体が所定時間開放された後、複数の赤外線センサ１３０が温度値を測定するように制御してもよい。当該所定時間は、例えば２から３秒であってもよい。扉体が開放された直後で赤外線センサ１３０が温度値を測定するよりも、所定時間遅延することは、気流の乱れによって赤外線センサ１３０により測定された温度値に突然変異が発生することを回避可能である。
【００３５】
赤外線センサ１３０は、０．１ｍｓ（当該数値は、柔軟に調整可能である）ごとに温度値を測定してもよい。複数の赤外線センサ１３０は、同時に測定可能である。
【００３６】
ステップＳ１０４において複数の収納スペース１４０のうち温度異常物品を投入された可能性のある異常収納スペースが存在するか否かを判断するフローは、複数種類ある。その中の１種の好適な方式は、図３に示すステップＳ１０４１からステップＳ１０４３を参照されたい。
【００３７】
ステップＳ１０４１では、扉体開放期間において何れかの赤外線センサ１３０によって連続２回測定された温度値の差の絶対値が所定の突然変異値より大きい値となったか否かを判断する。大きい値となった場合、ステップＳ１０４２を実行し、ならなかった場合、ステップＳ１０４３を実行する。
【００３８】
ステップＳ１０４２では、複数の収納スペース１４０のうち異常収納スペースが存在し、連続２回測定された温度値の差の絶対値が突然変異値より大きい値となった赤外線センサ１３０に対応する収納スペース１４０のすべてが異常収納スペースであると判断する。
【００３９】
ステップＳ１０４３では、複数の収納スペース１４０のうち異常収納スペースが存在しないと判断する。
【００４０】
つまり、ステップＳ１０４のフローは、扉体開放期間において、上記複数の赤外線センサ１３０のうちの何れかの赤外線センサ１３０によって連続２回測定された温度値の差の絶対値が突然変異値より大きい値（即ち、何れかの赤外線センサ１３０によって測定された温度値に突然変異が発生する）となった場合に、上記複数の収納スペース１４０のうち異常収納スペースが存在し、且つ連続２回測定された温度値の差の絶対値が突然変異値より大きい値となった赤外線センサ１３０に対応する収納スペース１４０のすべてが異常収納スペースであると判断することと、扉体開放期間において、各赤外線センサ１３０によって連続２回測定された温度値の差の絶対値が何れも突然変異値以下である場合に、上記複数の収納スペース１４０のうち異常収納スペースが存在しないと判断することと、を含むことが好ましい。
【００４１】
ステップＳ１０４１では、突然変異値の大きさは、試験により取得可能である。特定の冷蔵庫にとって、扉体開放期間において収納スペース１４０と外部環境とが熱交換を行うことによって発生する、赤外線センサ１３０によって連続２回測定された温度値の差分（当該差分は、第１差分と記されてもよい）は、当該冷蔵庫に対する大量の試験によって取得され得る。当業者であれば意識できるように、収納スペース１４０が扉体開放期間において、温度異常物品を投入されることと、外部環境との熱交換とによって発生する、赤外線センサ１３０によって連続２回測定された温度値の差分（当該差分は、第２差分と記されてもよい）は、上記第１差分より大きくなるはずである。例えば、冷蔵庫のある収納スペース１４０が扉体開放期間において温度２５℃の物品を投入されるときに、赤外線センサ１３０によって連続２回測定された温度値の差分の大きさは、突然変異値の参考値とされてもよい。突然変異値は、例えば、０．６℃または０．７℃等と設定されてもよい。
【００４２】
他の実施例では、ステップＳ１０４のある好適なフローは、複数の赤外線センサ１３０によって、同一の測定回数、同一の測定位置または同じ測定時刻において測定された温度を比較し、他の赤外線センサ１３０によって測定された温度よりも明らかに高い温度を測定した赤外線センサ１３０に対応する収納スペース１４０は、異常収納スペースであると判断する。さらに他の実施例では、ステップＳ１０４のある好適なフローは、複数の収納スペース１４０のうち異常収納スペースが存在するか否か、および、どの収納スペース１４０が異常収納スペースであるかをユーザが手動で入力する。
【００４３】
幾つかの実施例では、ステップＳ１０４において、異常収納スペースが存在しないと判断された場合に、扉体開放期間において上記複数の収納スペース１４０の何れにも温度異常物品が投入されなかったと判断する。つまり、扉体開放期間において、連続２回測定された温度値の差の絶対値が突然変異値より大きい値となった赤外線センサ１３０が存在しない場合に、異常収納スペースが存在しないと判断し、扉体開放期間において上記複数の収納スペース１４０の何れにも温度異常物品が投入されなかったと更に判断する。
【００４４】
ステップＳ１０６では、第１温度変化値を取得するフローは、複数種類含む。その中の１種の好適な方式は、図４に示すステップＳ１０６１からステップＳ１０６４を参照してもよい。
【００４５】
ステップＳ１０６１では、異常収納スペースに対応する赤外線センサ１３０によって、連続２回測定された温度値の差の絶対値が突然変異値より大きい値となる前の直近で、Ｅ（ただし、Ｅ≧２）回測定された第１温度値を、温度異常物品を投入された可能性のある前の前記異常収納スペースの温度値として記録する。Ｅは、例えば、２、３、４、５等であってもよい。
【００４６】
ステップＳ１０６２では、異常収納スペースに対応する赤外線センサ１３０によって、連続２回測定された温度値の差の絶対値が突然変異値より大きい値となった後に、連続Ｍ回測定された温度値のうち、何れの連続２回測定された温度値の差の絶対値も第１所定値より小さい値となるか否かを判断し、小さい値となる場合、ステップＳ１０６３を実行する。
【００４７】
ステップＳ１０６３では、異常収納スペースに対応する赤外線センサ１３０が連続Ｍ回収集のうちの何れか１回で収集した第２温度値を、温度異常物品を投入された可能性のあった後の異常収納スペースの温度値として記録する。
【００４８】
ステップＳ１０６４では、第２温度値と第１温度値との差分を、第１温度変化値として算出する。
【００４９】
ステップＳ１０６３では、Ｍ≧３であり、且つ第１所定値が突然変異値以下である。Ｍは、例えば３、４、５、６等であってもよい。第１所定値の大きさは、試験によって取得され得る。冷蔵庫にとって、温度異常物品をある収納スペース１４０に投入した後、当該異常収納スペース内の温度は、まず急激に昇温し、その後、昇温は緩やかになる。当該異常収納スペース内の温度の昇温が緩やかになった後、それに対応する赤外線センサ１３０による連続Ｍ回測定のうちの何れか１回で測定された温度値は、何れの連続２回測定された温度値の差の絶対値も第１所定値より小さい値となる。その際、連続Ｍ回測定のうちの何れか１回で測定された温度値は、何れも当該異常収納スペースの温度異常物品を投入された可能性のあった時の後の温度とされてもよい。第１所定値は、例えば０．５℃または０．４℃等と設定されてもよい。
【００５０】
好適な実施例では、第２温度値は、異常収納スペースに対応する赤外線センサ１３０による連続Ｍ回測定のうちの第１回或いは最終回で測定された温度値である。そのため、ステップＳ１０６３では、異常収納スペースに対応する赤外線センサ１３０による連続Ｍ回測定のうちの第１回或いは最終回で測定された温度値を、異常収納スペースの温度異常物品を投入された可能性のあった時の後の温度値として記録する。
【００５１】
図４に示す実施例では、異常収納スペースに対応する赤外線センサ１３０によって連続２回測定された温度値の差の絶対値が突然変異値より大きい値となる前の直近で、Ｅ回測定された第１温度値を、異常収納スペースの温度異常物品を投入される可能性のある時の前の温度値として記録し、異常収納スペースに対応する赤外線センサ１３０による連続Ｍ回測定のうちの何れか１回で測定された第２温度値を、異常収納スペースの温度異常物品を投入された可能性のあった時の後の温度値として記録する。異常収納スペースに対応する赤外線センサ１３０によって第Ｈ回で測定された温度値と第Ｈ−１回で測定された温度値との差の絶対値が突然変異値より大きいと仮定すれば、それは、第Ｈ−Ｅ回で第１温度値が測定される。ただし、Ｈ＞Ｅ、且つＥ≧２である。第１温度値は、ＩＲ１(Ｈ−Ｅ)またはＩＲ１(１)と記されてもよい。ただし、ＩＲ１(Ｈ−Ｅ)は、異常収納スペースに対応する赤外線センサ１３０によって第Ｈ−Ｅ回で測定された温度値を示し、ＩＲ１(１)は、異常収納スペースに温度異常物品を投入した可能性のある時の前後期間において当該異常収納スペースに対応する赤外線センサ１３０によって第１回で測定された温度値を示す。異常収納スペースに対応する赤外線センサ１３０が第Ｑ回測定点で第２温度値を測定したと仮定する。ただし、Ｑ＞Ｈである。第２温度値は、ＩＲ１(Ｑ)またはＩＲ１(Ｑ−Ｈ＋Ｅ＋１)と記されてもよい。ただし、ＩＲ１(Ｑ)は、異常収納スペースに対応する赤外線センサ１３０によって第Ｑ回で測定された温度値を示し、ＩＲ１(Ｑ−Ｈ＋Ｅ＋１)は、異常収納スペースに温度異常物品を投入した可能性のある時の前後期間において、当該異常収納スペースに対応する赤外線センサ１３０によって第Ｑ−Ｈ＋Ｅ＋１回または最終回で測定された温度値を示す。異常収納スペースに温度異常物品を投入した可能性のある時の前後期間は、当該異常収納スペースに対応する赤外線センサ１３０が第１温度値を測定してから第２温度値を測定するまでの期間、即ち、各赤外線センサ１３０による第Ｈ−Ｅ回測定点と第Ｑ回測定点との間の期間と理解されるべきである。
【００５２】
ステップＳ１０６では、第２温度変化値を取得するフローは、複数種類ある。１種の好適な方式は、温度差合計数式ｓｕｍ(ｎ)＝ｓｕｍ(ｎ−１)＋ＩＲ(ｎ＋１)−ＩＲ(ｎ)に基づいて、異常収納スペースが、温度異常物品を投入された可能性のある時の前後において、外部環境と熱交換を行うことによって発生する第２温度変化値を算出することである。ただし、温度差合計算出開始時に、ｓｕｍ（０）＝０であり、且つ、
【００５３】
当該異常収納スペースに温度異常物品を投入した可能性のある時の前後期間において、当該異常収納スペースに対応する赤外線センサ１３０によって第ｎ＋１回と第ｎ回とで測定された温度値の差の絶対値が第１所定値より小さい場合に、ＩＲ(ｎ＋１)とＩＲ(ｎ)は、それぞれ当該異常収納スペースに温度異常物品を投入した可能性のある時の前後期間において、当該異常収納スペースに対応する赤外線センサ１３０によって第ｎ＋１回と第ｎ回で測定された温度値である。
【００５４】
当該異常収納スペースに温度異常物品を投入した可能性のある時の前後期間において、当該異常収納スペースに対応する赤外線センサ１３０によって第ｎ＋１回と第ｎ回とで測定された温度値の差の絶対値が第１所定値以上であり、且つ当該異常収納スペースに温度異常物品を投入した可能性のある時の前後期間において、第ｎ＋１回と第ｎ回で測定された温度値の差の絶対値が第１所定値より小さい他の赤外線センサ１３０が存在する場合に、他の赤外線センサの数が１つであるとき、ＩＲ(ｎ＋１)とＩＲ(ｎ)は、それぞれ異常収納スペースに温度異常物品を投入した可能性のある時の前後期間において他の赤外線センサによって第ｎ＋１回と第ｎ回で測定された温度値である。他の赤外線センサの数が２つ以上であるとき、ＩＲ(ｎ＋１)とＩＲ(ｎ)は、それぞれ異常収納スペースに温度異常物品を投入した可能性のある時の前後期間において他の赤外線センサの何れかによって第ｎ＋１回と第ｎ回で測定された温度値である。、または、他の赤外線センサの数が２つ以上であるとき、ＩＲ(ｎ＋１)とＩＲ(ｎ)は、それぞれ異常収納スペースに温度異常物品を投入した可能性のある時の前後期間において他の赤外線センサの全てによって第ｎ＋１回と第ｎ回で測定された温度値の平均値である。
【００５５】
当該異常収納スペースに温度異常物品を投入した可能性のある時の前後期間において、各赤外線センサ１３０によって第ｎ＋１回と第ｎ回とで測定された温度値の差の絶対値が何れも第１所定値以上である場合に、ｓｕｍ(ｎ)＝ｓｕｍ(ｎ−１)である。
【００５６】
つまり、温度差合計数式ｓｕｍ(ｎ)＝ｓｕｍ(ｎ−１)＋ＩＲ(ｎ＋１)−ＩＲ(ｎ)を用いて毎回の温度差合計算出を行う前に、常に異常収納スペースに対応する赤外線センサによって前後２回測定された温度値の差の絶対値を第１所定値の大きさと先に比較する。もし異常収納スペースに対応する赤外線センサによって前後２回測定された温度値の差の絶対値が第１所定値より小さい場合に、直接異常収納スペースに対応する赤外線センサによって前後２回測定された温度値を利用して今回の温度差合計算出を行う。小さくない場合、残りの赤外線センサによって前後２回測定された温度値の差の絶対値を第１所定値の大きさと比較し、比較結果に応じて、条件を満たす上記他の赤外線センサによって前後２回測定された温度値を利用して今回の温度差合計算出（前後２回測定された温度値の差の絶対値が第１所定値より小さい他の赤外線センサが存在するとき）を行う。、または、今回の温度差合計算出結果が前回の温度差合計算出結果に等しい（全部の赤外線センサで前後２回測定された温度値の差の絶対値が何れも第１所定値以上であるとき）とする。
【００５７】
第２温度変化値を取得する好適なフローは、具体的に図５に示すステップＳ１６０２〜ステップＳ１６２２を参照すればよい。
【００５８】
ステップＳ１６０２では、温度差合計算出開始時に、ｓｕｍ（０）＝０である。
【００５９】
ステップＳ１６０４では、異常収納スペースに温度異常物品を投入した可能性のある時の前後期間において当該異常収納スペースに対応する赤外線センサ１３０によって第２回と第１回とで測定された温度値の差の絶対値が第１所定値より小さいか否かを判断する。小さい場合ステップＳ１６０５を実行し、小さくない場合、ステップＳ１６０６を実行する。
【００６０】
ステップＳ１６０５では、ｓｕｍ(１)＝ＩＲ１(２)−ＩＲ１(１)である。ただし、ＩＲ１(２)、ＩＲ１(１)は、それぞれ異常収納スペースに温度異常物品を投入した可能性のある時の前後期間において当該異常収納スペースに対応する赤外線センサ１３０によって第２回と第１回とで測定された温度値であり、ｓｕｍ(１)は、第１回温度差合計算出の結果である。
【００６１】
ステップＳ１６０６では、当該異常収納スペースに温度異常物品を投入した可能性のある時の前後期間において第２回と第１回とで測定された温度値の差の絶対値が第１所定値より小さい他の赤外線センサが存在するか否かを判断する。存在する場合、ステップＳ１６０７を実行し、存在しない場合、ステップＳ１６０８を実行する。
【００６２】
ステップＳ１６０７では、ｓｕｍ(１)＝ＩＲ２(２)−ＩＲ２(１)である。ただしＩＲ２(２)、ＩＲ２(１)は、それぞれ当該異常収納スペースに温度異常物品を投入した可能性のある時の前後期間において、上記他の赤外線センサによって第２回と第１回とで測定された温度値である。具体的には、上記他の赤外線センサの数が１つであるとき、ＩＲ２(２)とＩＲ２(１)は、それぞれ異常収納スペースに温度異常物品を投入した可能性のある時の前後期間において、上記他の赤外線センサによって第２回と第１回とで測定された温度値である。上記他の赤外線センサの数が２つ以上であるとき、ＩＲ２(２)とＩＲ２(１)は、それぞれ異常収納スペースに温度異常物品を投入した可能性のある時の前後期間において、何れかの上記他の赤外線センサのによって第２回と第１回とで測定された温度値である。または、ＩＲ２(２)は、異常収納スペースに温度異常物品を投入した可能性のある時の前後期間において、上記全ての他の赤外線センサによって第２回で測定された温度値の平均値であり、ＩＲ２(１)は、異常収納スペースに温度異常物品を投入した可能性のある時の前後期間において、上記全ての他の赤外線センサによって第１回で測定された温度値の平均値である。
【００６３】
ステップＳ１６０８では、ｓｕｍ(１)＝０である。
【００６４】
ステップＳ１６１０では、異常収納スペースに温度異常物品を投入した可能性のある時の前後期間において、当該異常収納スペースに対応する赤外線センサ１３０によって第３回と第２回とで測定された温度値の差の絶対値が第１所定値より小さいか否かを判断する。小さい場合、ステップＳ１６１１を実行し、小さくない場合、ステップＳ１６１２を実行する。
【００６５】
ステップＳ１６１１では、ｓｕｍ(２)＝ｓｕｍ(１)＋ＩＲ１(３)−ＩＲ１(２)である。ただし、ＩＲ１(３)、ＩＲ１(２)は、それぞれ異常収納スペースに温度異常物品を投入した可能性のある時の前後期間において、当該異常収納スペースに対応する赤外線センサによって第３回と第２回とで測定された温度値であり、ｓｕｍ(２)は、第２回温度差合計算出の結果である。
【００６６】
ステップＳ１６１２では、当該異常収納スペースに温度異常物品を投入した可能性のある時の前後期間において、第３回と第２回とで測定された温度値の差の絶対値が第１所定値より小さい他の赤外線センサが存在するか否かを判断する。存在する場合、ステップＳ１６１３を実行し、存在しない場合、ステップＳ１６１４を実行する。
【００６７】
ステップＳ１６１３では、ｓｕｍ(２)＝ｓｕｍ(１)＋ＩＲ２(３)−ＩＲ２(２)である。ただし、ＩＲ２(３)、ＩＲ２(２)は、それぞれ当該異常収納スペースに温度異常物品を投入した可能性のある時の前後期間において、上記他の赤外線センサによって第３回と第２回とで測定された温度値（または、平均値）である。詳細は、ステップＳ１６０７を参照されたい。
【００６８】
ステップＳ１６１４では、ｓｕｍ(２)＝ｓｕｍ(１)である。
【００６９】
ステップＳ１６１６は、以下に説明する。異常収納スペースに温度異常物品を投入した可能性のある時の前後期間において、当該異常収納スペースに対応する赤外線センサ１３０によって最終回と最終回から２回目とで測定された温度値の差の絶対値が第１所定値より小さいか否かを判断する。小さい場合、ステップＳ１６１７を実行し、小さくない場合、ステップＳ１６１８を実行する。
【００７０】
ステップＳ１６１７では、ｓｕｍ(Ｎ)＝ｓｕｍ(Ｎ−１)＋ＩＲ１(Ｎ＋１)−ＩＲ１(Ｎ)である。ただし、ＩＲ１(Ｎ＋１)、ＩＲ１(Ｎ)は、それぞれ異常収納スペースに温度異常物品を投入した可能性のある時の前後期間において、当該異常収納スペースに対応する赤外線センサによって最終回と最終回から２回目とで測定された温度値であり、ｓｕｍ(Ｎ)、ｓｕｍ(Ｎ−１)は、それぞれ最終回と最終から２回目とで温度差合計算出を行った結果である。
【００７１】
ステップＳ１６１８では、当該異常収納スペースに温度異常物品を投入した可能性のある時の前後期間において、最終回と最終回から２回目とで測定された温度値の差の絶対値が第１所定値より小さい他の赤外線センサが存在するか否かを判断する。存在する場合、、ステップＳ１６１９を実行し、存在しない場合、ステップＳ１６２０を実行する。
【００７２】
ステップＳ１６１９では、ｓｕｍ(Ｎ)＝ｓｕｍ(Ｎ−１)＋ＩＲ２(Ｎ＋１)−ＩＲ２(Ｎ)であり、ＩＲ２(Ｎ＋１)、ＩＲ２(Ｎ)は、それぞれ当該異常収納スペースに温度異常物品を投入した可能性のある時の前後期間において、上記他の赤外線センサによって最終回と最終回から２回目とで測定された温度値（または平均値）である。詳細は、ステップＳ１６０７を参照されたい。
【００７３】
ステップＳ１６２０では、ｓｕｍ(Ｎ)＝ｓｕｍ(Ｎ−１)である。
【００７４】
ステップＳ１６２２では、ｓｕｍ(Ｎ)は、第２温度変化値である。
【００７５】
ステップＳ１６０４〜ステップＳ１６０８では、第１回温度差合計算出が行われる。第１回温度差合計算出は、異常収納スペースに対応する赤外線センサ１３０によって第１温度値が測定されることから開始する。上述した通りに、異常収納スペースに対応する赤外線センサ１３０は、第Ｈ−Ｅ回収集点で第１温度値を測定する。つまり、異常収納スペースに対応する赤外線センサ１３０による第Ｈ−Ｅ回の測定は、各赤外線センサが当該異常収納スペースに温度異常物品を投入した可能性のある時の前後期間において行う第１回の測定に対応する。第１回温度差合計算出が行われる前に、異常収納スペースに対応する赤外線センサ１３０によって第Ｈ−Ｅ＋１回と第Ｈ−Ｅ回とで測定された温度値の差の絶対値が第１所定値（ステップＳ１６０４）より小さいか否かを先に判断する。小さい場合、ｓｕｍ(１)＝ＩＲ１(２)−ＩＲ１(１)である。ただし、ＩＲ１(２)、ＩＲ１(１)は、それぞれ当該異常収納スペースに対応する赤外線センサ１３０によって第Ｈ−Ｅ＋１回と第Ｈ−Ｅ回とで測定された温度値（ＩＲ１(２)、ＩＲ１(１)は、それぞれＩＲ１(Ｈ−Ｅ＋１)、ＩＲ１(Ｈ−Ｅ)でも示されてもよい）である（ステップＳ１６０５）。異常収納スペースに対応する赤外線センサ１３０によって第Ｈ−Ｅ＋１回と第Ｈ−Ｅ回とで測定された温度値の差の絶対値が第１所定値以上である場合に、第Ｈ−Ｅ＋１回と第Ｈ−Ｅ回とで収集した温度値の差の絶対値が第１所定値より小さい他の赤外線センサが存在するか否かを判断する（ステップＳ１６０６）。他の赤外線センサが１つのみ存在する場合に、ｓｕｍ(１)＝ＩＲ２(２)−ＩＲ２(１)である。ただし、ＩＲ２(２)、ＩＲ２(１)は、それぞれ当該他の赤外線センサ１３０が第Ｈ−Ｅ＋１回と第Ｈ−Ｅ回とで測定された温度値（ＩＲ２(２)、ＩＲ２(１)は、それぞれＩＲ２(Ｈ−Ｅ＋１)、ＩＲ２(Ｈ−Ｅ)にて示されてもよい）である。他の赤外線センサが２つ以上存在する場合に、ｓｕｍ(１)＝ＩＲ２’(２)−ＩＲ２’(１)である。ただし、ＩＲ２’(２)、ＩＲ２’(１)は、それぞれ他の赤外線センサのうちの何れか１つによって第Ｈ−Ｅ＋１回と第Ｈ−Ｅ回とで測定された温度値（ＩＲ２’(２)、ＩＲ２’(１)は、それぞれＩＲ２’(Ｈ−Ｅ＋１)、ＩＲ２’(Ｈ−Ｅ)で示されてもよい）であり、またはｓｕｍ(１)＝[ＩＲ２1(２)−ＩＲ２1(１)＋ ＩＲ２2(２)−ＩＲ２2(１)＋…]／２である。ただし、ＩＲ２1(２)、ＩＲ２2(２)等は、それぞれ、他の赤外線センサのそれぞれによって第Ｈ−Ｅ＋１回で測定された温度値（ＩＲ２1(２)、ＩＲ２2(２)は、それぞれＩＲ２1(Ｈ−Ｅ＋１)、ＩＲ２2(Ｈ−Ｅ＋１)で示されてもよい）である。ＩＲ２1(１)、ＩＲ２2(１)等は、それぞれ、他の赤外線センサのそれぞれによって第Ｈ−Ｅ回で測定された温度値（ＩＲ２1(１)、ＩＲ２2(１)は、それぞれＩＲ２1(Ｈ−Ｅ)、ＩＲ２2(Ｈ−Ｅ)で示されてもよい）（ステップＳ１６０７）である。各赤外線センサによって第Ｈ−Ｅ＋１回と第Ｈ−Ｅ回とで測定された温度値の差の絶対値が何れも第１所定値以上である場合に、ｓｕｍ(１)＝０である（ステップＳ１６０８）。
【００７６】
ステップＳ１６１０〜ステップＳ１６１４では、第２回温度差合計算出が行われる。第１回温度差合計と類似的に、第２回温度差合計算出が行われる前に、異常収納スペースに対応する赤外線センサ１３０によって第Ｈ−Ｅ＋２回と第Ｈ−Ｅ＋１回とで測定された温度値の差の絶対値が第１所定値より小さいか否かを先に判断する（ステップＳ１６１０）。小さい場合、ｓｕｍ(２)＝ｓｕｍ(１)＋ＩＲ１(３)−ＩＲ１(２)である。ただし、ＩＲ１(３)、ＩＲ１(２)は、それぞれ当該異常収納スペースに対応する赤外線センサ１３０によって第Ｈ−Ｅ＋２回と第Ｈ−Ｅ＋１回とで測定された温度値（ＩＲ１(３)は、ＩＲ１(Ｈ−Ｅ＋２)で示されてもよい）（ステップＳ１６１１）である。小さくない場合、第Ｈ−Ｅ＋２回と第Ｈ−Ｅ＋１回とで測定された温度値の差の絶対値が第１所定値より小さい他の赤外線センサが存在するか否かを引き続き判断する（ステップＳ１６１２）。
【００７７】
ステップＳ１６１６〜ステップＳ１６２０では、最終回温度差合計算出が行われる。温度差合計算出は、異常収納スペースに対応する赤外線センサ１３０が第２温度値を測定する際に終了する。上述した通りに、異常収納スペースに対応する赤外線センサ１３０は、第Ｑ回収集点で第２温度値を測定する。つまり、異常収納スペースに対応する赤外線センサ１３０による第Ｑ回の測定は、各赤外線センサが当該異常収納スペースに温度異常物品を投入した可能性のある時の前後期間において行う最終回の測定に対応する。最終回の温度差合計算出（即ち、第Ｑ−Ｈ＋Ｅ回温度差合計算出）が行われる前に、異常収納スペースに対応する赤外線センサ１３０によって第Ｑ回と第Ｑ−１回とで測定された温度値の差の絶対値が第１所定値より小さいか否かを先に判断する（ステップＳ１６１６）。小さい場合、ｓｕｍ(Ｑ−Ｈ＋Ｅ)＝ｓｕｍ(Ｑ−Ｈ＋Ｅ−１)＋ＩＲ１(Ｑ−Ｈ＋Ｅ＋１)−ＩＲ１(Ｑ−Ｈ＋Ｅ)である。ただし、ＩＲ１(Ｑ−Ｈ＋Ｅ＋１)、ＩＲ１(Ｑ−Ｈ＋Ｅ)は、それぞれ当該異常収納スペースに対応する赤外線センサ１３０によって第Ｑ回と第Ｑ−１回とで測定された温度値（ＩＲ１(Ｑ−Ｈ＋Ｅ＋１)、ＩＲ１(Ｑ−Ｈ＋Ｅ)は、それぞれＩＲ１(Ｑ)、ＩＲ１(Ｑ−１)で示されてもよい）であり、ｓｕｍ(Ｑ−Ｈ＋Ｅ)は、最終回で温度差合計算出を行った結果（ステップＳ１６１７に、ｓｕｍ(Ｑ−Ｈ＋Ｅ)は、ｓｕｍ(Ｎ)そのものである）である。小さくない場合、第Ｑ回と第Ｑ−１回とで測定された温度値の差の絶対値が第１所定値より小さい他の赤外線センサが存在するか否かを引き続き判断する（ステップＳ１６１８）。
【００７８】
ｓｕｍ(Ｑ−Ｈ＋Ｅ)は、当該異常収納スペースが、温度異常物品を投入された可能性のある時の前後において、外部環境と熱交換を行うことによって発生する第２温度変化値とする。
【００７９】
ステップＳ１０８において第１温度変化値と第２温度変化値とに基づいて異常収納スペース内に温度異常物品が投入されたか否かを判断するフローは、複数種類ある。その中の１種の好適な方式は、図６に示すステップＳ１０８１〜ステップＳ１０８３を参照されたい。
【００８０】
ステップＳ１０８１では、第１温度変化値と第２温度変化値との差分が第２所定値より大きいか否かを判断する。大きい場合、ステップＳ１０８２を実行し、大きくない場合、ステップＳ１０８３を実行する。
【００８１】
ステップＳ１０８２では、異常収納スペース内に温度異常物品が投入されたと判断する。
【００８２】
ステップＳ１０８３では、異常収納スペース内に温度異常物品が投入されなかったと判断する。
【００８３】
ステップＳ１０８１では、第２所定値は、突然変異値以上であってもよい。第２所定値の大きさは、冷蔵庫によって認定された温度異常物品の最低温度に関連する。例えば、冷蔵庫が４０℃より高い温度の物品を温度異常物品と認識すれば、ある収納スペース１４０に４０℃の物品を投入し、試験により第２所定値の大きさを特定してもよい。
【００８４】
ステップＳ１０８２の後、視覚および／または聴覚的な信号を発して、収納スペース１４０に対応する投入物品の温度異常をユーザに注意を喚起する。例えば、冷蔵庫に内蔵された発音装置によって特定の音楽や着信音、音声提示を発してもよく、冷蔵庫の扉体に設けられる表示装置によって文字リマインダーを発してもよく、ランプの点灯や明滅等の方式でユーザに注意を喚起してもよい。
【００８５】
ステップＳ１０８２またはステップＳ１０８３の後、複数の赤外線センサ１３０は、温度値を引き続き測定可能であり、ステップＳ１０４からステップＳ１０８を再度実行してもよい。
【００８６】
また、幾つかの実施例では、異常収納スペースに温度異常物品を投入した可能性のある時の前後期間において、他の１つの収納スペース１４０に対応する赤外線センサ１３０の測定温度にも突然変異が発生した場合に、当該異常収納スペース内に温度異常食品が投入されたか否かを判断した後、別の突然変異の発生した赤外線センサ１３０に対応する収納スペース１４０に温度異常食品が投入されたか否かを更に判断する。別の突然変異の発生した赤外線センサ１３０に対応する収納スペース１４０に温度異常食品が投入されたか否かを判断する方法は、ステップＳ１０６〜ステップＳ１０８を参照されたい。
【００８７】
図７は、本発明の一実施例に係る冷蔵庫内に温度異常物品が投入されたか否かを検出するための詳細フローチャートである。ただし、赤外線センサ１３０の数は、３つであり、３つの収納スペース１４０の温度をそれぞれ収集する。
【００８８】
ステップＳ２０１では、扉体が開放されたか否かを判断する。開放された場合、ステップＳ２０２を実行する。
【００８９】
ステップＳ２０２では、ｙ秒遅延後、３つの赤外線センサ１３０は、温度値ＩＲ(１)の測定を開始し、測定回数を記録する。ｙは、２〜３秒である。
【００９０】
ステップＳ２０４では、３つの赤外線センサ１３０は、温度値ＩＲ(２)の第２回測定を行い、測定回数を記録する。
【００９１】
ステップＳ２０６では、３つの赤外線センサ１３０は、温度値ＩＲ(Ｈ)の第Ｈ回測定を行い、測定回数を記録する。
【００９２】
ステップＳ２０８では、何れかの赤外線センサ１３０によって現在測定されている温度値ＩＲ(Ｈ)と前回測定された温度値ＩＲ(Ｈ−１)との差の絶対値が突然変異値Ａより大きいか否かを判断する。大きい場合、当該赤外線センサ１３０によって測定された温度値に突然変異が発生したと認定し、ステップＳ２１０を実行する。大きくない場合、３つの赤外線センサ１３０によって測定された温度値の何れにも突然変異が発生しなかったと認定し、ステップＳ２０９を実行する。本発明では、ある赤外線センサ１３０によって測定された温度値に突然変異が発生したと認定したことは、当該赤外線センサ１３０に対応する収納スペース１４０に温度異常物品が投入された可能性が高いことを意味する。そして、このことは、当該収納スペース１４０の温度に突然変異が発生したことを示す。ステップＳ２０８において測定された温度値に突然変異が発生したと認定された赤外線センサ１３０が第１赤外線センサと記され、他の２つの赤外線センサ１３０が第２赤外線センサおよび第３赤外線センサと記された場合に、第１赤外線センサによって測定された温度値に突然変異が発生したときに３つの赤外線センサ１３０によって前２回で測定された温度値ＩＲ(Ｈ−２)を記録する。第１赤外線センサが第Ｈ−２回で収集した温度値は、ＩＲ１(Ｈ−２)で示される。
【００９３】
ステップＳ２０９では、扉体が開放状態であるか否かを判断する。開放状態である場合、ステップＳ２０６に戻り、３つの赤外線センサ１３０による温度値の測定を続け、何れかの赤外線センサ１３０によって現在測定されている温度値ＩＲ(Ｈ)と前回測定された温度値ＩＲ(Ｈ−１)との差の絶対値が突然変異値Ａより大きいか否かを繰り返し判断する。開放状態でない場合、ステップＳ２１１を実行する。
【００９４】
ステップＳ２１０では、３つの赤外線センサ１３０が第Ｈ−２回で測定した温度値ＩＲ(Ｈ−２)を記録し、温度差合計算出を始める。ただし、ｓｕｍ(１)＝ＩＲ(Ｈ−１)−ＩＲ(Ｈ−２)であり、ｓｕｍ(２)＝ｓｕｍ(１)＋ＩＲ(Ｈ)−ＩＲ(Ｈ−１)である。ＩＲ１(Ｈ−２)は、第１温度値を示してもよく、第１赤外線センサによって連続２回測定された温度値の差の絶対値が突然変異値より大きくなる前の直近で、２回測定された温度値である（即ち、Ｅ＝２）。
【００９５】
ステップＳ２１１では、収納スペース１４０の何れにも温度異常物品が投入されなかったと判断する。
【００９６】
ステップＳ２１２では、３つの赤外線センサ１３０は、温度値ＩＲ(Ｈ＋１)を引き続き測定し、温度差合計算出を引き続き行う。
【００９７】
ステップＳ２１４では、ステップＳ２０８において収集値ＩＲ(Ｈ)と収集値ＩＲ(Ｈ−１)との差の絶対値が突然変異値Ａより大きい値となったとき、当該赤外線センサ１３０（即ち、第１赤外線センサ）によってその後測定された温度値に、連続Ｍ回測定された温度値のうち、何れの連続２回測定された温度値の差の絶対値が第１所定値Ｂより小さい値となるか否かを判断する。小さい値となった場合、ステップＳ２１６を実行する。
【００９８】
ステップＳ２１６では、３つの赤外線センサ１３０による連続Ｍ回測定のうちの第１回の測定値ＩＲ(Ｑ)を記録し、最終回の温度差合計算出を行う。Ｑは、第１赤外線センサが第２温度値（即ち、第１赤外線センサによる連続Ｍ回測定のうちの第１回で測定された温度値）を測定する測定回数を示し、ＩＲ１(Ｑ)は、第２温度値を示し、ｓｕｍ(Ｎ)は、最終回の温度差合計算出の結果を示してもよい。
【００９９】
ステップＳ２１８では、ＩＲ１(Ｑ)−ＩＲ１(Ｈ−２)−ｓｕｍ(Ｎ)が第２所定値Ｃより大きいか否かを判断する。大きい場合、ステップＳ２２０を実行する。大きくない場合、ステップＳ２１９を実行する。ステップＳ２１８では、第１赤外線センサによって測定された、異常収納スペースの温度異常物品を投入された可能性のあった時の後で安定に近付いたときの温度と、温度異常物品を投入される可能性のある前の時の温度との差分を、ｓｕｍ(Ｎ)と比較する。、両者の差分が第２所定値より大きい場合、ステップＳ２２０を実行し、第１赤外線センサに対応する異常収納スペース内に温度異常物品が投入されたと認定する。両者の差分が第２所定値以下である場合に、ステップＳ２１９を実行し、第１赤外線センサに対応する異常収納スペース内に温度異常物品が投入されなかったと認定する。
【０１００】
ステップＳ２２０とステップＳ２１９の後、戻ってステップＳ２０１を実行してもよい。
【０１０１】
幾つかの実施例では、ステップＳ２２０の後、例えば、当該異常収納スペースに対応するランプを点灯することにより、当該収納スペース１４０内に温度異常物品が投入されたことをユーザに注意を喚起する。
【０１０２】
別の幾つかの実施例では、ステップＳ２１８の判断結果を冷蔵庫の主制御基板へ送信して冷蔵庫の冷却システムの制御に関与させてもよい。例えば、判断結果が、ある収納スペース１４０内に温度異常物品が投入されたことを示す場合、冷却システムから当該収納スペース１４０へより多くの冷気を供給して、温度をできるだけ速く所定保存温度まで降下させる。本実施例の冷蔵庫内に温度異常物品が投入されたか否かを検出する方法を用いると、冷却制御をタイムリーで有効に行うことができる。そして、高温物体の周囲収納スペース１４０への影響を回避し、冷蔵庫の冷藏室の貯蔵効果を向上させ、食品の栄養流失を減少するとともに、全収納コンパートメントに対して無差別に冷却することによる電気エネルギーの無駄遣いを防ぐ。
【０１０３】
また、幾つかの実施例では、第１赤外線センサに対応する収納スペース１４０に温度異常物品が投入されたか否かを判断した後、ステップＳ２０８を用いて第２、第３赤外線センサによって測定された温度値に突然変異が発生したか否かを判断してもよい。これにより、第２、第３赤外線センサに対応する収納スペース１４０内に温度異常物品が投入されたか否かを更に判断する。具体的なフローは、ステップＳ２１０〜ステップＳ２１９またはステップＳ２２０を参照されたい。
【０１０４】
ある具体的な実施例では、赤外線センサ１３０は、３つあり、それぞれ第１赤外線センサ、第２赤外線センサ、第３赤外線センサであり、３つの収納スペース１４０の温度をそれぞれ収集し、３つの収納スペース１４０の温度は、何れも５℃と設定される。上記突然変異値は、０．６℃とし、第１所定値は、０．４℃とし、第２所定値は、０．８℃とし、Ｅ＝２、Ｍ＝４である。
【０１０５】
扉が開かれた後で、第２秒後、３つの赤外線センサ１３０は、温度値の測定を開始する。ただし、第１赤外線センサによって、第１回で測定された温度値が５．１℃であり、第２回で測定された温度値が５．２℃であり、第３回で測定された温度値が５．４℃であり、第４回で測定された温度値が５．６℃であり、第５回で測定された温度値が５．９℃であり、第６回で測定された温度値が６．２℃であり、第７回で測定された温度値が６．９℃であり、第８回で測定された温度値が７．６℃であり、第９回で測定された温度値が８．２℃であり、第１０回で測定された温度値が８．８℃であり、第１１回で測定された温度値が９．３℃であり、第１２回で測定された温度値が９．６℃であり、第１３回で測定された温度値が９．９℃であり、第１４回で測定された温度値が１０．２℃であり、第１５回で測定された温度値が１０．４℃である。
【０１０６】
また、第２赤外線センサによって、第１回で測定された温度値が５．２℃であり、第２回で測定された温度値が５．３℃であり、第３回で測定された温度値が５．５℃であり、第４回で測定された温度値が５．７℃であり、第５回で測定された温度値が５．９℃であり、第６回で測定された温度値が６．２℃であり、第７回で測定された温度値が６．４℃であり、第８回で測定された温度値が６．６℃であり、第９回で測定された温度値が６．８℃であり、第１０回で測定された温度値が７．１℃であり、第１１回で測定された温度値が７．３℃であり、第１２回で測定された温度値が７．６℃であり、第１３回で測定された温度値が７．９℃であり、第１４回で測定された温度値が８．２℃であり、第１５回で測定された温度値が８．４℃である。
【０１０７】
また、第３赤外線センサによって、第１回で測定された温度値が５．１℃であり、第２回で測定された温度値が５．３℃であり、第３回で測定された温度値が５．４℃であり、第４回で測定された温度値が５．６℃であり、第５回で測定された温度値が５．９℃であり、第６回で測定された温度値が６．１℃であり、第７回で測定された温度値が６．４℃であり、第８回で測定された温度値が６．６℃であり、第９回で測定された温度値が６．９℃であり、第１０回で測定された温度値が７．１℃であり、第１１回で測定された温度値が７．４℃であり、第１２回で測定された温度値が７．７℃であり、第１３回で測定された温度値が７．９℃であり、第１４回で測定された温度値が８．１℃であり、第１５回で測定された温度値が８．３℃である。
【０１０８】
上記収集結果によれば分かるように、第１赤外線センサによる第７回の測定時に、連続２回測定された温度値の差の絶対値が突然変異値より大きい値（即ち、｜６．９℃−６．２℃｜＞０．６℃、Ｈ＝７）となる。、第１赤外線センサに対応する収納スペース１４０は、異常収納スペースそのものであり、即ち、温度異常物品を投入された可能性のある収納スペース１４０である。第５回（即ち、Ｈ−Ｅ＝７−２回）で測定された温度値を第１温度値として記録する。第１赤外線センサによって、第１２回の測定から、連続２回測定された温度値の差の絶対値が第１所定値より小さい値（第１２回で収集された温度値と第１１回で収集された温度値との差の絶対値が０．４℃より小さい。即ち、｜９．６℃−９．３℃｜＜０．４℃、Ｑ＝１２）となり、且つ第１５回の測定に至って、連続２回測定された温度値の差の絶対値が第１所定値より小さい値を連続４回示す。このため、当該第１赤外線センサによる連続４回の測定のうちの第１回の測定（即ち、第１２回測定）の温度値を第２温度値として記録する。したがって、第１温度変化値＝第２温度値−第１温度値＝９．６℃−５．９℃＝３．７℃である。
【０１０９】
以下では、第１回温度差合計算出を行う。第１赤外線センサによって第６回と第５回とで測定された温度値の差が０．３＜０．４℃であるため、ｓｕｍ(１)＝ＩＲ１(２)−ＩＲ１(１)＝０．３℃である。ＩＲ１(２)、ＩＲ１(１)は、それぞれ第１赤外線センサが第６回と第５回とで測定された温度値である。
【０１１０】
以下では、第２回温度差合計算出を行う。第１赤外線センサによって第７回と第６回とで測定された温度値の差が０．７＞０．４℃、第２赤外線センサによって第７回と第６回とで測定された温度値の差が０．２＜０．４℃、第３赤外線センサによって第７回と第６回とで測定された温度値の差が０．３＜０．４℃である。このため、ｓｕｍ(２)＝ｓｕｍ(１)＋（ＩＲ２(３)−ＩＲ２(２)＋ＩＲ３(３)−ＩＲ３(２)）／２＝０．５５℃である。ＩＲ２(３)、ＩＲ２(２)は、それぞれ第２赤外線センサによって第７回と第６回とで測定された温度値である。また、ＩＲ３(３)、ＩＲ３(２)は、それぞれ第３赤外線センサによって第７回と第６回とで測定された温度値である。
【０１１１】
以上の値から、最終回（即ち、第７回）の温度差合計算出を行う。第１赤外線センサによって第１２回と第１１回とで測定された温度値の差が０．３＜０．４℃である。このため、ｓｕｍ(７)＝ｓｕｍ(６)＋ＩＲ１(８)−ＩＲ１(７)＝１．８℃である。ＩＲ１(８)、ＩＲ１(７)は、それぞれ第１赤外線センサによって第１２回と第１１回とで測定された温度値である。
【０１１２】
即ち、第２温度変化値＝ｓｕｍ(７)＝１．８℃である。したがって、第１温度変化値と第２温度変化値との差分＝３．７℃−１．８℃＝１．９℃であり、第２所定値０．８℃より大きい。よって、第１赤外線センサに対応する異常収納スペース内に温度異常物品が投入されたと判断する。
【０１１３】
第２赤外線センサと第３赤外線センサとによる第１回の測定から第１５回の測定までの期間では、何れも、連続２回測定された温度値の差の絶対値が第１所定値より大きい値となっていない。よって、赤外線センサによる第１回の測定から第１５回の測定までの期間では、第２赤外線センサに対応する収納スペースと、第３赤外線センサに対応する収納スペースとの何れにも、温度異常物品が投入されなかった。
【０１１４】
これまでに、当業者であれば分かるように、本発明の複数の例示的な実施例が本文に詳細に示されて記述されてきたが、本発明の要旨及び範囲を逸脱しない限り、本発明に開示された内容から本発明の原理に合致する大量の他の変形や改良を直接特定或いは推論することが可能である。したがって、本発明の範囲がこれらの他の変形や改良を全てを含むことは、理解及び認定されるべきである。
【図１】
2019535994.tif 000003
【図２】
2019535994.tif 000004
【図３】
2019535994.tif 000005
【図４】
2019535994.tif 000006
【図５】
2019535994.tif 000007
【図６】
2019535994.tif 000008
【図７】
2019535994.tif 000009
【国際調査報告】
2019535994.tif 000010
2019535994.tif 000011
2019535994.tif 000012
2019535994.tif 000013